(57)【要約】    【課題】  例えばトムソン刃を高い精度に位置決めできるようにした刃の位置決め構造を提供する。    【解決手段】  取付け板（１０）には刃部材（１１）を刃先部分（１１Ａ）を突出させて埋め込むとともに、位置決め治具（１３）を埋め込む。刃部材の端縁には刃先部分を残して嵌込み段部（１１Ｂ）を形成し、位置決め治具には位置決め溝（１３Ｂ）を形成し、位置決め治具を刃部材の嵌込み段部に嵌め込み、刃部材を位置決め治具の位置決め溝に嵌め込み、刃部材の刃先部分を位置決め治具によって位置決めし固定する。【選択図】  図１
2012016762.tif 000002
【特許請求の範囲】
【請求項１】
取付け板には、刃部材が刃先部分を突出させて埋め込まれるとともに、位置決め治具が埋め込まれ、
上記刃部材の端縁には刃先部分を残して嵌込み段部が形成される一方、上記位置決め治具には位置決め溝が形成されており、
上記位置決め治具が上記刃部材の嵌込み段部に嵌め込まれるとともに、上記刃部材が上記位置決め治具の位置決め溝に嵌め込まれ、上記刃部材の刃先部分が上記位置決め治具によって位置決めされ固定されていることを特徴とする刃の位置決め構造。
【請求項２】
トムソン刃を有する抜き型の一部に抜き型ブロックを組み込み、トムソン刃の刃先部分を抜き型ブロックの彫刻刃に対して連続させるとともに位置決めするにあたり、
上記トムソン刃（１１）の端縁には刃先部分（１１Ａ）を残して嵌込み段部（１１Ｂ）が形成される一方、上記位置決め治具（１３）には位置決め溝（１３Ｂ）が形成されており、
上記トムソン刃（１１）が刃先部分（１１Ａ）を突出させて上記取付け板（１０）に埋め込まれるとともに、上記位置決め治具（１３）がその位置決め溝（１３Ｂ）を上記彫刻刃（１２Ａ）の端縁の位置に合わせて上記取付け板（１０）に埋め込まれ、
上記位置決め治具（１３）が上記トムソン刃（１１）の嵌込み段部（１１Ｂ）に嵌め込まれるとともに、上記トムソン刃（１１）が上記位置決め治具（１３）の位置決め溝（１３Ｂ）に嵌め込まれ、上記トムソン刃（１１）が上記位置決め治具（１３）によって位置決めされることによって、上記トムソン刃（１１）の刃先部分（１１Ａ）が上記彫刻刃（１２Ａ）に対して連続されるとともに位置決め固定されている請求項１記載の刃の位置決め構造。
【請求項３】
上記位置決め治具（１３）の位置決め溝（１３Ｂ）が上記トムソン刃（１１）の厚みと等しい溝幅を有し、上記トムソン刃（１１）の嵌込み段部（１１Ｂ）が上記位置決め治具（１３）の位置決め溝（１３Ｂ）が形成された部位（１３Ａ）の厚みと等しい段高を有し、上記位置決め治具（１３）は上記抜き型ブロック（１２）に接して上記取付け板（１０）に埋め込まれている請求項２記載の刃の位置決め構造。
【請求項４】
抜き型のトムソン刃の対向する端縁を相互に連続させるとともに位置決めするにあたり、
上記トムソン刃（１１）が刃先部分（１１Ａ）を突出させて上記取付け板（１０）に埋込まれるとともに、一対の上記位置決め治具（１３）が相互に背中合わせにかつその位置決め溝（１３Ｂ）の位置を合わせて上記取付け板（１０）に埋め込まれ、
上記位置決め治具（１３）が上記トムソン刃（１１）の嵌込み段部（１１Ｂ）に嵌め込まれるとともに、上記トムソン刃（１１）が上記位置決め治具（１３）の位置決め溝（１３Ｂ）に嵌め込まれ、上記トムソン刃（１１）が上記位置決め治具（１３）によって位置決めされることによって上記トムソン刃（１１）の端縁が相互に連続するように固定されるとともに位置決めされている請求項１記載の刃の位置決め構造。
【発明の詳細な説明】
【技術分野】
【０００１】
この発明は刃の位置決め構造に関し、例えばトムソン刃を高い精度に位置決めし固定できるようにした構造に関する。
【背景技術】
【０００２】
例えば、樹脂製シート、紙、段ボールなどのシート材は、種々の形状に打ち抜くことにより、食品用トレイ、紙箱、段ボール箱などに使用されている。このシート材を打ち抜く場合、打ち抜くべき平面形状に合わせて配された打抜き刃を有する抜き型が
用いられる。
【０００３】
比較的安価な製品を製造する場合には抜き型も廉価にする必要があることから、例えばトムソン刃を合板などの取付け板に埋め込んだ構造が採用されているが、トムソン刃では複雑な形状に打ち抜くことが難しく、又トムソン刃を高精度に加工することが難しいことがある。かかる場合、ＮＣ加工などによって彫刻刃を形成した抜き型ブロックを抜き型に埋め込み、彫刻刃をトムソン刃と組み合わせることが提案されている（特許文献１）。
【０００４】
しかし、特許文献１記載の抜き型では抜き型ブロックの脱着を繰り返すと、トムソン刃に弛みが生じて彫刻刃とトムソン刃との間に位置ずれが発生するおそれがある。
【０００５】
他方、トムソン刃の倒れや弛みを防止するために、トムソン刃の刃先部分に断面Ｌ字状の取付け治具を溶接などによって固定し、取付け治具をねじなどによって取付け板に固定するようにした刃の位置決め構造が提案されている（特許文献２）。
【先行技術文献】
【特許文献】
【０００６】
【特許文献１】特開平１１−３０９６９９号公報
【特許文献２】実用新案登録第３０５６８８８号公報
【発明の概要】
【発明が解決しようとする課題】
【０００７】
しかし、特許文献２記載の刃の位置決め構造ではねじが弛むと、取付け治具にがたつきが発生し、トムソン刃に位置ずれが発生するおそれがある。
【０００８】
本発明はかかる問題点に鑑み、トムソン刃を高い精度で位置決めし固定できるようにした刃の位置決め構造を提供することを課題とする。
【課題を解決するための手段】
【０００９】
そこで、本発明に係る刃の位置決め構造は、取付け板には、刃部材が刃先部分を突出させて埋め込まれるとともに、位置決め治具が埋め込まれ、上記刃部材の端縁には刃先部分を残して嵌込み段部が形成される一方、上記位置決め治具には位置決め溝が形成されており、上記位置決め治具が上記刃部材の嵌込み段部に嵌め込まれるとともに、上記刃部材が上記位置決め治具の位置決め溝に嵌め込まれ、上記刃部材の刃先部分が上記位置決め治具によって位置決めされ固定されていることを特徴とする。
【００１０】
本発明の特徴の１つは刃部材の取付け板に位置決め治具を埋め込み、位置決め治具の位置決め溝に刃部材を嵌め込むとともに、刃部材の嵌込み段部に位置決め治具を嵌め込み、刃部材を位置決め治具によって位置決めし固定するようにした点にある。
【００１１】
これにより、位置決め治具が取付け板にしっかりと固定され、この位置決め治具によって刃部材、例えばトムソン刃がしっかりと位置決めされ固定されるので、刃部材にがたつきが発生することはなく、トムソン刃の位置決め精度を保証できる。
【００１２】
本発明の位置決め構造は例えば抜き型ブロックの彫刻刃とトムソン刃のつなぎ部分の位置決めに適用することができ、又刃部材同士、例えばトムソン刃同士のつなぎ部分の位置決めに適用することもできる。
【００１３】
即ち、トムソン刃を有する抜き型の一部に抜き型ブロックを組み込み、トムソン刃の刃先部分を抜き型ブロックの彫刻刃に対して連続させるとともに位置決め固定する場合、トムソン刃の端縁には刃先部分を残して嵌込み段部を形成する一方、位置決め治具には位置決め溝を形成し、トムソン刃は刃先部分を突出させて取付け板に埋め込むとともに、位置決め治具はその位置決め溝を彫刻刃の端縁の位置に合わせて取付け板に埋め込み、位置決め治具をトムソン刃の嵌込み段部に嵌め込むとともに、トムソン刃を位置決め治具の位置決め溝に嵌め込み、トムソン刃を位置決め治具によって位置決めすることによって、トムソン刃の刃先部分を彫刻刃に対して連続させるとともに位置決め固定できる。
【００１４】
トムソン刃の嵌込み段部の段高は特に限定されないが、位置決め治具の位置決め溝の部分の厚みに設定すると、位置決め治具がトムソン刃と抜き型ブロックとの間にしっかりと挟まれて固定され、この位置決め治具によってトムソン刃をしっかりと位置決めして固定できる。
【００１５】
すなわち、位置決め治具の嵌込み溝をトムソン刃の厚みと等しい溝幅とし、トムソン刃の嵌込み段部を位置決め治具の嵌込み溝が形成された部位の厚みと等しい段高とし、位置決め治具を抜き型ブロックに接して取付け板に埋め込むのが好ましい。
【００１６】
また、抜き型のトムソン刃の対向する端縁を相互に連続させるとともに位置決めする場合、トムソン刃を刃先部分を突出させて取付け板に埋め込むとともに、一対の位置決め治具を相互に背中合わせにかつその位置決め溝の位置を合わせて取付け板に埋め込み、位置決め治具はトムソン刃の嵌込み段部に嵌め込むとともに、トムソン刃は位置決め治具の位置決め溝に嵌め込み、トムソン刃を位置決め治具によって位置決めすることによってトムソン刃の端縁を相互に連続させて固定するとともに位置決めすることができる。
【００１７】
ここで、本発明はトムソン刃の位置決めに適用すればその効果が大きいが、トムソン刃以外の刃部材、例えば罫押し刃に適用しても同様の効果を奏する。
【図面の簡単な説明】
【００１８】
【図１】本発明に係る刃の位置決め構造の実施形態を示す概略斜視図である。
【図２】上記実施形態を示す要部斜視図である。
【図３】上記実施形態を示す分解斜視図である。
【図４】第２の実施形態を示す概略斜視図である。
【図５】上記実施形態を示す分解斜視図である。
【図６】他の実施形態を示す図である。
【発明を実施するための形態】
【００１９】
以下、本発明を具体例に基づいて詳細に説明する。図１ないし図３は本発明に係る刃の位置決め構造の好ましい実施形態を示す。図において、抜き型は合板などの取付け板１０にトムソン刃１１及び金属製の抜き型ブロック１２を埋め込んで構成されている。
【００２０】
取付け板１０には例えばレーザービーム加工によって抜き型ブロック１２を嵌め込む四角形状の開口１０Ａが例えば上下に貫通して形成されるとともに、レーザービーム加工などによってトムソン刃１２を嵌め込む嵌込み溝１０Ｂが切断すべき形状に例えば上下に貫通して形成されている。
【００２１】
この嵌込み溝１０Ｂには薄刃状のトムソン刃１１が上側の刃先部分１１Ａを突出させた状態に圧入され、又開口１０Ａには抜き型ブロック１２が彫刻刃１２Ａの刃高をトムソン刃１１の刃高と同じ高さになるように突出させた状態に圧入され、トムソン刃１１の刃先１１Ａと抜き型ブロック１２の彫刻刃１２Ａとは相互に連続されている。
【００２２】
抜き型ブロック１２は直方体形状の金属製ブロックに彫刻刃１２ＡをＮＣ加工などによって一体的に形成した構造に製作されている。
【００２３】
また、取付け板１０には位置決め治具１３の嵌込み溝１０Ｃが彫刻刃１２Ａの端縁の近傍にて抜き型ブロック１２の嵌込み溝１０Ａと連続するように形成されている。この嵌込み溝１０Ｃは平面リップドチャンネル状をなし、嵌込み溝１０Ｃには平面リップドチャンネル状の位置決め治具１３が圧入されている。
【００２４】
この位置決め治具１３は中央部分１３Ａが他の部分に比較して高く形成され、中央部分１３Ａの中央にはトムソン刃１１の刃厚Ｔと等しい溝幅ｗの位置決め溝１３Ｂが形成されている。
【００２５】
また、トムソン刃１１の抜き型ブロック１２側の端縁には位置決め治具１３の位置決め溝１３Ｂの部分の厚みｔと等しい段高Ｄの嵌込み段部１１Ｂが形成され、トムソン刃１１の嵌込み段部１１Ｂには位置決め治具１３の位置決め溝１３Ｂの部分が嵌め込まれるとともに、位置決め治具１３の位置決め溝１３Ｂにはトムソン刃１１の嵌込み段部１１Ｂの刃先部分１１Ａが嵌め込まれている。
【００２６】
以上のように、位置決め治具１３の位置決め溝１３Ｂにトムソン刃１１を嵌め込み、トムソン刃１１の嵌込み段部１１Ｂに位置決め治具１３の位置決め溝１３Ｂの部分を嵌め込み、位置決め治具１３によってトムソン刃１１を位置決めし固定するようにしたので、位置決め治具１３を取付け板１０に強固に固定でき、この位置決め治具１３によってトムソン刃１１を強固に位置決めし固定でき、トムソン刃１１にがたつきが発生することはなく、位置決め精度を保証できる。
【００２７】
特に、トムソン刃１１の段部１１Ｂと抜き型ブロック１２の端面との間に位置決め治具１３を挟持するようにしたので、トムソン刃１１の位置決め精度をより一層保証することができる。
【００２８】
図４及び図５は第２の実施形態を示し、これはトムソン刃１１の端縁のつなぎ部分の位置決めに適用した例である。図において図１ないし図３と同一符号は同一又は相当部分を示す。本例では取付け板１０に例えばレーザービーム加工によってトムソン刃１１を嵌め込む嵌込み溝１０Ｂが切断すべき形状に例えば上下に貫通して形成されている。
【００２９】
この嵌込み溝１０Ｂには薄刃状のトムソン刃１１が上側の刃先１１Ａを突出させかつ対向する端縁を突き合わせた状態に圧入されている。
【００３０】
また、取付け板１０には２つの位置決め治具１３の嵌込み溝１０Ｃがトムソン刃１１の突き合わせた端縁の近傍にて相互に背中合わせの状態で、かつ嵌込み溝１０Ｂと連続するように形成されている。この嵌込み溝１０Ｃは平面リップドチャンネル状をなし、嵌込み溝１０Ｃには平面リップドチャンネル状の位置決め治具１３が圧入されている。
【００３１】
この位置決め治具１３は中央部分１３Ａが他の部分に比較して高く形成され、中央部分１３Ａの中央にはトムソン刃１１の刃厚と等しい溝幅の位置決め溝１３Ｂが形成されている。
【００３２】
トムソン刃１１の端縁には位置決め治具１３の位置決め溝１３Ｂの部分の厚みと等しい段高の嵌込み段部１１Ｂが形成され、トムソン刃１１の嵌込み段部１１Ｂには位置決め治具１３の位置決め溝１３Ｂの部分が嵌め込まれ、位置決め治具１３の位置決め溝１３Ｂにはトムソン刃１１の嵌込み段部１１Ｂの刃先部分１１Ａが嵌め込まれている。
【００３３】
以上のように、位置決め治具１３の位置決め溝１３Ｂにトムソン刃１１を嵌め込み、トムソン刃１１の段部１１Ｂに位置決め治具１３の位置決め溝１３Ｂの部分を嵌め込み、位置決め治具１３によってトムソン刃１１を位置決めし固定するようにしたので、取付け板１０に強固に固定した位置決め治具１３によってトムソン刃１１を強固に位置決めし固定でき、トムソン刃１１にがたつきが発生することはなく、トムソン刃１１の連続性を保証できる。
【００３４】
図６は他の実施形態を示し、位置決め治具１３は平面リップドチャンネル状に限定されず、図６の（ａ）に示されるような平面コ字状でもよく、図６の（ｂ）に示されるように先端側が広くなった平面変形コ字状、その他の多角形状でもよく、又図６の（ｃ）に示されるような平面円弧状、その他の平面弧状であってもよい。
【符号の説明】
【００３５】
１０      取付け板
１１      トムソン刃
１１Ｂ    嵌込み段部
１２      抜き型
１２Ａ    彫刻刃
１３      位置決め治具
１３Ｂ    位置決め溝
【図１】
2012016762.tif 000003
【図２】
2012016762.tif 000004
【図３】
2012016762.tif 000005
【図４】
2012016762.tif 000006
【図５】
2012016762.tif 000007
【図６】
2012016762.tif 000008